(57)【特許請求の範囲】
【請求項１】
外表面に非導電性の塗装が施される金属製のフロアパネルと、該フロアパネルの縁鍔部の角部を支持する金属製の支柱とに設けるフロアパネルと支柱のアース接続構造であって、支柱に、平面視正方形状の略板状をした受け部本体と、受け部本体の上面を四つの略正方形の区画に分割するように該上面に突設されて前記それぞれの区画に配置されるフロアパネルの縁鍔部の角部が載置される平面視略十字状をした立設部とからなる受け部を形成し、フロアパネルの縁鍔部の角部近傍の下面にパネル側導通部としての非塗装部分を形成し、フロアパネルの縁鍔部の角部が載置される支柱に前記パネル側導通部と電気的に導通可能な支柱側導通部を形成し、フロアパネルのパネル側導通部と支柱の支柱側導通部との間に、フロアパネルと支柱とを電気的に導通させるためにパネル側導通部に取り付ける金属製のねじ部材及び、ねじ部材と支柱側導通部とに当接して弾性を有すると共に立設部が挿通される平面視略十字状をした挿通孔が穿孔されて受け部本体の立設部を立設していない部分であるパネル載置部に載置される導電性部材とを設けて成ることを特徴とするフロアパネルと支柱のアース接続構造。
【請求項２】
ねじ部材をタッピングねじ等の掘削ねじで構成すると共に、該掘削ねじにフロアパネルの塗装を剥離する塗装剥離部を設けて成ることを特徴とする請求項１記載のフロアパネルと支柱のアース接続構造。
【発明の詳細な説明】
【０００１】
【発明の属する技術分野】
本発明は、二重床システムのフロアパネルと支柱とに設けるアース接続構造に関するものである。
【０００２】
【従来の技術】
近年、建物の床下地の上面に支柱を配置すると共に、この支柱にフロアパネルを載置して、床下地とフロアパネルとの間に配線用の隙間を形成する二重床システムが良く用いられており、以下に説明する。
【０００３】
フロアパネル１は、図１７に示すように、平面視正方形状をした金属製の板状の部材で、外表面には非導電性の塗装が施されるものである。そして、フロアパネル１の四つの角部の下面はそれぞれ支柱２に載置されるものである。
【０００４】
支柱２は、オフィスの床下地の上面に配置されると共にフロアパネル１が載置されて床下地とフロアパネル１との間に配線用の隙間を形成する金属製もので、上端部にフロアパネル１が載置される受け部２３が設けられる。
【０００５】
ところで、このようにして支柱２にフロアパネル１を載置する二重床システムにおいては、従来より後述するコーナーロックねじ６３によってフロアパネル１と支柱２とを電気的に導通させてアース接続を構成するものである。
【０００６】
フロアパネル１には、四つの角部にそれぞれ孔を穿孔してコーナーロックプラグを取り付けることで貫通孔６２が形成してあり、貫通孔６２にはコーナーロックねじ６３が挿通されるものである。そして、フロアパネル１を支柱２に載置した際この貫通孔６２が形成された角部の下面はそれぞれ支柱２の受け部２３の上方に位置するものである。
【０００７】
受け部２３は支柱２の上端部に設けられるもので、フロアパネル１が載置された際にフロアパネル１の貫通孔６２と連通するようにねじ孔６４が穿設してある。また、コーナーロックねじ６３は、図１９に示すように、フロアパネル１の外表面に施される塗装を剥離する剥離部Ｈが突設された金属製のもので、このコーナーロックねじ６３を支柱２に載置されたフロアパネル１の貫通孔６２の上方より挿通し、支柱２の受け部２３のねじ孔６４に螺着することで、コーナーロックねじ６３を介してフロアパネル１と支柱２とを電気的に導通させるものである。
【０００８】
しかしながら、このようにコーナーロックねじ６３を用いるフロアパネル１と支柱２のアース接続構造では、支柱２にフロアパネル１を載置した後、即ち現場施工においてコーナーロックねじ６３を取り付けるものであり、このコーナーロックねじ６３や締め付けに用いる工具等の現場への搬入品の点数が増加するだけでなく、現場での施工工数も増加するという問題があるものであった。
【０００９】
また、幾度もフロアパネル１を支柱２に載置し直す場合、何度もコーナーロックねじ６３を着脱することによる支柱２の受け部２３のねじ孔６４の緩みによって電気的導通が不確実になってしまうと共に、コーナーロックねじ６３のねじ孔６４への締め付けトルクの変動によって電気的導通の抵抗値にばらつきが生じるといった問題もあるものであった。
【００１０】
【発明が解決しようとする課題】
本発明は上記の点に鑑みてなされたものであり、その目的とするところは、コーナーロックねじを用いることによる施工現場への搬入品の点数，施工工数の増加等が生じてしまうことのないフロアパネルと支柱のアース接続構造を提供することを課題とするものである。
【００１１】
【課題を解決するための手段】
上記課題を解決するために本発明に係るフロアパネルと支柱のアース接続構造は、外表面に非導電性の塗装が施される金属製のフロアパネル１と、該フロアパネル１の縁鍔部１３の角部Ｃを支持する金属製の支柱２とに設けるフロアパネル１と支柱２のアース接続構造であって、支柱２に、平面視正方形状の略板状をした受け部本体２４と、受け部本体２４の上面を四つの略正方形の区画に分割するように該上面に突設されて前記それぞれの区画に配置されるフロアパネル１の縁鍔部１３の角部Ｃが載置される平面視略十字状をした立設部２５とからなる受け部２３を形成し、フロアパネル１の縁鍔部１３の角部Ｃ近傍の下面１ｃにパネル側導通部３としての非塗装部分を形成し、フロアパネル１の縁鍔部１３の角部Ｃが載置される支柱２に前記パネル側導通部３と電気的に導通可能な支柱側導通部を形成し、フロアパネル１のパネル側導通部３と支柱２の支柱側導通部との間に、フロアパネル１と支柱２とを電気的に導通させるためにパネル側導通部３に取り付ける金属製のねじ部材４及び、ねじ部材４と支柱側導通部とに当接して弾性を有すると共に立設部２５が挿通される平面視略十字状をした挿通孔５４が穿孔されて受け部本体２４の立設部２５を立設していない部分であるパネル載置部２４ｂに載置される導電性部材５（５ｃ）とを設けて成ることを特徴とするものである。このような構成とすることで、フロアパネル１と支柱２とをアース接続するのにコーナーロックねじ６３のようなアース部材を現場で施工する必要がなくなり、現場施工で要する部品（部材や工具）点数，施工工数の低減が図られるものである。特に、フロアパネル１を支柱２に載置するという基本的な作業を行うだけで、簡単に電気的な導通が得られるようになるものである。また、コーナーロックねじ６３の締め付けトルクの変動によって電気的導通の抵抗値にばらつきが生じることもないものである。また、導電性部材５ｃをねじ部材４で取り付けることなく、その挿通孔５４に支柱２の立設部２５を挿通させて支柱２の受け部本体２４のパネル載置部２４ｂに載置するだけで取り付け可能となって施工が容易であり、また、フロアパネル１の下面１ｃに取り付けたねじ部材４を支柱２の受け部２３に載置した導電性部材５ｃの上にフロアパネル１の自重で圧接することができる。
【００２０】
また、ねじ部材４をタッピングねじ等の掘削ねじ４ｂで構成すると共に、該掘削ねじ４ｂにフロアパネル１の塗装を剥離する塗装剥離部を設けることが好ましい。このような構成とすることで、ナット４２を用いたりねじ孔１５を形成したりすることなくねじ部材４をフロアパネル１の角部Ｃ近傍の外表面に取り付けると共にパネル側導通部３を形成することができる。
【００２９】
【発明の実施の形態】
以下、本発明について添付図面に基づいて説明する。まず、本発明のフロアパネル１と支柱２のアース接続構造を適用する二重床システムのフロアパネル１と支柱２とについて説明する。
【００３０】
フロアパネル１は、平面視正方形状をした板状のもので、トップ板１１とボトム板１２とで外殻が構成される。（図１，図２，図８，図１５等参照）トップ板１１は、平面視正方形状をした金属製の板状の部材で、上面がフロアパネル１の上面１ａとなるものである。ボトム板１２は、平面視正方形状をした上方に開口する大略箱状の部材で、開口縁からは外方に向けて外郭がトップ板１１の外郭とほぼ同じであるフランジ状部が連設してあり、このボトム板１２のフランジ状部とトップ板１１とを平面視で外郭が重なるように溶接する。このようにトップ板１１とボトム板１２とを溶接してフロアパネル１の外殻を構成するもので、上述したようにトップ板１１の上面がフロアパネル１の上面１ａとなると共に、ボトム板１２の側面，下面がそれぞれフロアパネル１の側面１ｂ，下面１ｃとなる。また、フロアパネル１の下面１ｃには、図１５（ｂ）に示すように、ボトム板１２を屈曲させて球面状凹部１４が複数形成してある。
【００３１】
そして、このように構成されるフロアパネル１の外殻には内部に充填材７としてのモルタルを充填するもので、これによってフロアパネル１が形成され、更に、フロアパネル１の外表面（即ち、上面１ａと側面１ｂと下面１ｃ及び、後述する縁鍔部１３の上下面）には、錆び止め等のための非導電性の塗料による塗装が施されるものである。なお、図１等に示すように、フロアパネル１の四つの角部Ｃにはそれぞれ、充填材７を充填する前にトップ板１１とボトム板１２とに平面視においてほぼ重なるように孔を穿孔してこの孔にコーナーロックプラグ６１を取り付けることで貫通孔６２が形成してあり、後述するコーナーロックねじ６３を挿通可能としてある。
【００３２】
フロアパネル１は、上述したようにトップ板１１とボトム板１２とを溶接して外殻が構成されるが、ボトム板１２のフランジ状部とこの部分に溶接されているトップ板１１の周縁部とでフロアパネル１の縁鍔部１３が形成してある。縁鍔部１３は、フロアパネル１の周縁に形成される平面視ロ字状をしたもので、フロアパネル１の四つの角部Ｃ、即ち縁鍔部１３の四つの角部が支柱２に載置されるものである。
【００３３】
支柱２は、オフィスの床下地の上面に配置されると共に上端部にフロアパネル１が載置されることで床下地とフロアパネル１との間に配線用の隙間を形成するもので、台座部２１と柱脚部２２と受け部２３とで主体が構成される。（図１，図９，図１４，図１７等参照）
台座部２１は、図９等に示すように、床下地の上面に直接載置される金属製の板状の部材で、上面の中央部より上方に向けて柱脚部２２が突設される。柱脚部２２は、本実施形態では金属製のボルト２２ａ，ナット２２ｂで構成されるもので、ボルト２２ａの下端部を台座部２１に固定して台座部２１より上方に突出させると共にボルト２２ａの上端部にナット２２ｂを螺着し、ナット２２ｂの上面に後述する受け部２３を載置固定するものである。柱脚部２２をこのように構成してあるので、ナット２２ｂを回転してボルト２２ａへの螺着位置を変えることで、ナット２２ｂで載置する受け部２３の床下地の上面からの高さ（即ちフロアパネル１の床下地の上面からの高さ）を調整することができる。
【００３４】
受け部２３は、図１，図９に示すように、いずれも金属製の平面視正方形状の略板状をした受け部本体２４と、平面視略十字状をした立設部２５とで構成されるものである。受け部本体２４は、下面に上記柱脚部２２のナット２２ｂの上面に載置される柱脚載置部２４ａが形成してあり、また、受け部本体２４の上面には上記平面視略十字状をした立設部２５を突設すると共に、上面の立設部２５が突設されていない部分をパネル載置部２４ｂとしてある。立設部２５は、平面視正方形状の受け部本体２４の上面を四つのほぼ正方形の区画に分割するように受け部本体２４の上面に一体に設けてあり、これによって分割された受け部本体２４の上面のそれぞれの区画がフロアパネル１のボトム板１２の下面１ｃの角部Ｃが載置されるか又は隙間を介して配置されるパネル載置部２４ｂとなるものである。また、立設部２５の上端面は、フロアパネル１の縁鍔部１３の下面が載置される鍔載置部２５ａとなるものであり、一つの受け部２３でフロアパネル１の四つの角部Ｃを載置可能としてある。なお、本実施形態では、受け部本体２４のパネル載置部２４ｂがフロアパネル１の下面１ｃ（即ちボトム板１２の下面）に当接して支持するものではなく、縁鍔部１３の下面を立設部２５の鍔載置部２５ａ上にラバー２６を介して載置してフロアパネル１を支持するものである。また、なお、このような受け部２３には、図９に示すように、受け部本体２４に形成されるパネル載置部２４ｂにそれぞれコーナーロックねじ６３が螺着されるねじ孔６４が穿設してあり、この受け部２３のパネル載置部２４ｂにフロアパネル１のボトム板１２の下面１ｃの角部Ｃが配置された際、フロアパネル１の上面１ａ側よりコーナーロックプラグ６１の貫通孔６２に挿通したコーナーロックねじ６３を支柱２のパネル載置部２４ｂのねじ孔６４に螺着することで、フロアパネル１を支柱２に確実に固定したりフロアパネル１と支柱２とを電気的に導通したりすることができる。
【００３５】
このような支柱２は、図１４に示すように、オフィスビルやコンピュータビル等のオフィスの床下地の上面に載置するもので、この載置した支柱２にフロアパネル１を載置して床下地とフロアパネルとの間に配線用の隙間を形成するものである。なお、図中９はカーペットを示す。
【００３６】
上述したようなフロアパネル１と支柱２とに設ける本発明のアース接続構造の一実施形態について、図１及び図２に基づいて説明する。
【００３７】
本実施形態のアース接続構造は、フロアパネル１の角部Ｃ近傍の外表面にパネル側導通部３を形成すると共に支柱２に支柱側導通部を形成し、パネル側導通部３に導電性部材５ａを金属製のねじ部材４にて取り付けて導電性部材５ａを支柱側導通部に当接させることで、フロアパネル１と支柱２とをアース接続するものである。
【００３８】
パネル側導通部３は、図１に示すように、フロアパネル１の側面１ｂ（即ちボトム板１２の側面）に形成するもので、フロアパネル１の外表面に非導電性の塗料が塗装されない非塗装部分を形成して電気的導通（electrical continuity）を可能とする導通部とするものである。このパネル側導通部３としての非塗装部分を形成するには、フロアパネル１の製造の段階において、トップ板１１とボトム板１２とを溶接する前にフロアパネル１の四つの角部Ｃ近傍の側面１ｂに貫通孔（特に図示せず）をそれぞれ穿孔し、この貫通孔にねじ部材４として外周に雄ねじが刻設されたボルト４ａを外側より挿通すると共にこのボルト４ａと螺合するナット４２をボトム板１２の内側よりボルト４ａに螺着し、その後でトップ板１１とボトム板１２とを溶接し、ボルト４ａの頭部４１をフロアパネル１の角部Ｃ近傍の外表面に取着してこの部分をマスキングした状態でフロアパネル１の外表面に塗装を施すものである。このようにすることで、ねじ部材４の頭部４１をフロアパネル１の外表面に取着してマスキングして塗装するだけでこの頭部４１と同面積の非塗装部分を容易に形成することができる。
【００３９】
支柱２には、支柱側導通部が形成されるものであるが、本実施形態においては、支柱２を構成する台座部２１，柱脚部２２，受け部２３はいずれも金属製である上に、支柱２の外表面に非導電性の塗料等は塗装されないため、パネル側導通部３のような非塗装部分を特に形成することなく支柱２全体を支柱側導通部とすることができる。そして、この支柱２とフロアパネル１とを電気的に導通させるため、フロアパネル１の四つの角部Ｃに形成したパネル側導通部３には導電性部材５ａがそれぞれ取り付けられる。
【００４０】
導電性部材５ａは、図２（ｂ）に示すように、導電性を有する平板状の部材を二か所で屈曲させて、パネル側取着片５１とこれより一体に連設される側面視略へ字状をした支柱当接片５２とを形成したもので、ばね用りん青銅等の金属で成形される。パネル側取着片５１には、ねじ部材４が挿通される取着用切欠孔５１ａが穿設してある。この導電性部材５ａは、フロアパネル１と支柱２との間の隙間に合わせてこれらの両方に弾圧するように弾性変形するものである。
【００４１】
この導電性部材５ａをパネル側導通部３に取り付けるには、上述したようにねじ部材４としてのボルト４ａとナット４２を螺着した後トップ板１１とボトム板１２とを溶接してフロアパネル１の外殻を構成し、この内部に充填材７としてのモルタルを充填してナット４２を固定し、この状態でボルト４ａを回転させてナット４２に螺着してあるボルト４ａを外すかあるいは緩め、導電性部材５ａのパネル側取着片５１に穿設した取着用切欠孔５１ａにボルト４ａを挿通し、再度ボルト４ａをナット４２に螺着してボルト４ａの頭部４１とフロアパネル１のパネル側導通部３とで導電性部材５ａのパネル側取着片５１を挟着することで行うものである。なおこの時、ナット４２は円形よりも六角形等の多角形状をしたものの方がモルタルによって固定される効果が大きい。
【００４２】
そして、このように導電性部材５ａを取り付けたフロアパネル１を支柱２に載置することで、図１に示すように、導電性部材５ａの支柱当接片５２が支柱側導通部に当接してフロアパネル１と支柱２とが電気的に導通される。
【００４３】
以上のような構成によれば、パネル側導通部３と支柱側導通部との間に金属製のねじ部材４及び導電性部材５ａを設けてフロアパネル１と支柱２とをアース接続したことで、コーナーロックねじ６３のようなアース部材を現場で施工する必要がなくなり、現場で施工する際に要するコーナーロックねじ６３のような部材やこれを取り付けるための工具の点数、施工の工数の低減が図られるものである。特に、フロアパネル１を支柱２に載置するという基本的な作業を行うだけで、簡単に電気的な導通が得られるようになるものである。
【００４４】
また、幾度もフロアパネル１を支柱２に載置し直す時でも、コーナーロックねじ６３を用いるものの場合のように何度もコーナーロックねじ６３を着脱することによる支柱２の受け部２３のねじ孔６４の緩みによって電気的導通が不確実になることがないと共に、コーナーロックねじ６３のねじ孔６４への締め付けトルクの変動によって電気的導通の抵抗値にばらつきが生じることもないものである。
【００４５】
また、導電性部材５ａをねじ部材４にてフロアパネル１のパネル側導通部３に取り付け、導電性部材５ａを弾性変形させて支柱側導通部に弾圧したことで、導電性部材５ａがフロアパネル１のパネル側導通部３と支柱側導通部とに確実に当接するものである。
【００４６】
また、パネル側導通部３をフロアパネル１の側面１ｂに形成したことで、パネル側導通部３に取り付けられるねじ部材４が歩行者がフロアパネル１を踏むことによる繰り返し垂直負荷によって緩むのを防止することができると共に、複数のフロアパネル１を積段した状態でねじ部材４を取り付けることができて作業性が向上するものである。
【００４７】
また、ねじ部材４としてのボルト４ａをフロアパネル１の外側よりフロアパネル１の内側に配設してあるナット４２に螺着し、ボルト４ａの頭部４１をフロアパネル１の外表面に取着してマスキングした状態でフロアパネル１の外表面に塗装を施して、パネル側導通部３としての非塗装部分をマスキングした部分に形成したことで、フロアパネル１と支柱２とをアース接続すると共にマスキング部材ともなるねじ部材４を容易にフロアパネル１の角部Ｃ近傍の外表面に取着することができて、フロアパネル１の製造工程や現場でのアース接続の施工工数を低減することができる。
【００４８】
また、なお、本実施形態ではフロアパネル１の四つの角部Ｃ全てにパネル側導通部３としての非塗装部分を形成したが、三か所以下であっても少なくとも一か所に形成してあれば電気的導通を得ることは可能である。しかしながらこの場合にあっては、フロアパネル１の配置に制限が加わるものであるため、パネル側導通部３としての非塗装部分はフロアパネル１の四つの角部Ｃ全てに形成することが好ましい。
【００４９】
次に、本発明の他の実施形態について、図３に基づいて説明する。本実施形態は、図１及び図２に示す上実施形態と基本的に同じであるため、主に異なる部分についてのみ説明する。
【００５０】
本実施形態は、上実施形態においてフロアパネル１の側面１ｂに貫通孔を穿孔してねじ部材４としてのボルト４ａを外側より挿通すると共にナット４２をボトム板１２の内側よりボルト４ａに螺着するところを、ねじ部材４としてのボルト４ａと螺合するねじ孔１５をフロアパネル１に形成してこのねじ孔１５にボルト４ａを外側より螺着するようにしたものである。
【００５１】
これは、パネル側導通部３としての非塗装部分を形成するにあたり、フロアパネル１の製造の段階において、トップ板１１とボトム板１２とを溶接する前にフロアパネル１の四つの角部Ｃ近傍の側面１ｂにそれぞれ、図３に示すように、ねじ部材４としての外周に雄ねじが刻設されたボルト４ａと螺合するねじ孔１５を穿設し、このねじ孔１５に前記ねじ部材４としてのボルト４ａを外側より螺着し、その後でトップ板１１とボトム板１２とを溶接し、ボルト４ａの頭部４１をフロアパネル１の角部Ｃ近傍の外表面に取着してこの部分をマスキングした状態でフロアパネル１の外表面に塗装を施すものである。
【００５２】
以上のような構成によれば、マスキング部材として用いるねじ部材４を容易にフロアパネル１の角部Ｃ近傍の外表面に取着することができて、フロアパネル１の製造工程や現場でのアース接続の施工工数を更に低減することができる。
【００５３】
次に、本発明の更に他の実施形態について、図４乃至図６に基づいて説明する。本実施形態は、図１及び図２や、図３に示す上実施形態と基本的に同じであるため、主に異なる部分についてのみ説明する。
【００５４】
本実施形態は、上実施形態のようにフロアパネル１の外表面にねじ部材４を取着してマスキングした状態でフロアパネル１の外表面に塗装を施してマスキングした部分をパネル側導通部３としての非塗装部分とするものではなく、ねじ部材４としての掘削ねじ４ｂで外表面に塗装が施されたフロアパネル１に掘削螺入し、この掘削ねじ４ｂとフロアパネル１とで導電性部材５ｂを挟着し、導電性部材５ｂに設けた塗装剥離部でフロアパネル１の塗装を剥離してパネル側導通部３としての非塗装部分を形成するものである。
【００５５】
ねじ部材４としての掘削ねじ４ｂには、一般によく用いられるタッピングねじを用いるが、特にこれに限定されないものである。
【００５６】
また、導電性部材５ｂは、図４乃至図６に示すように、上実施形態で用いるもの（図１乃至図３参照）に加えて、フロアパネル１に取り付ける際にフロアパネル１のボトム板１２の下面１ｃに当接することでねじ部材４と共に回転してしまうのを防止する規制部５３がパネル側取着片５１の下端より一体に連設してあると共に、パネル側取着片５１のフロアパネル１との当接面にフロアパネル１の塗装を剥離する塗装剥離部（特に図示せず）が形成してある。
【００５７】
塗装剥離部は、フロアパネル１の外表面に施してある塗装を剥離する突起として形成されるもので、パネル側取着片５１の取着用切欠孔５１ａに掘削ねじ４ｂを挿通して掘削ねじ４ｂをフロアパネル１の側面１ｂ（即ちボトム板１２の側面）に掘削螺入していき、掘削ねじ４ｂによってパネル側取着片５１がフロアパネル１の外表面に圧接され、パネル側取着片５１が掘削ねじ４ｂの回転等の動きと同じように若干左右へ回転，揺動した際に、塗装剥離部の突起がフロアパネル１の外表面の塗装を剥離してパネル側導通部３としての非塗装部分を形成するものである。
【００５８】
以上のような構成によれば、ナット４２を用いたりねじ孔１５を形成したりすることなくねじ部材４をフロアパネル１の角部Ｃ近傍の外表面に取り付けることができると共に、ねじ部材４でフロアパネル１の外表面をマスキングすることなく塗装後にパネル側導通部３を形成することができる。
【００５９】
次に、本発明の更に他の実施形態について、図７乃至図１０に基づいて説明する。本実施形態は、図１及び図２や、図３や、図４乃至図６に示す上実施形態と異なる部分についてのみ説明する。
【００６０】
本実施形態は、上実施形態のようにフロアパネル１の角部Ｃ近傍の側面１ｂにねじ部材４にて導電性部材５ｂを取り付けるものではなく、フロアパネル１の角部Ｃ近傍の下面１ｃにねじ部材４を取り付けると共に、導電性部材５ｃを支柱２のフロアパネル１が載置される部分に取り付けるものである。
【００６１】
ねじ部材４としての掘削ねじ４ｂには、一般によく用いられるタッピングねじを用いるが、特にこれに限定されないものである。さらに本実施形態では、掘削ねじ４ｂにフロアパネル１の塗装を剥離する塗装剥離部（特に図示せず）が設けてある。これは、掘削ねじ４ｂの頭部４１のフロアパネル１との当接面にフロアパネル１の塗装を剥離する突起として形成されるもので、掘削ねじ４ｂをフロアパネル１に掘削螺入して掘削ねじ４ｂの頭部４１がフロアパネル１の外表面に圧接された際、塗装剥離部の突起がフロアパネル１の外表面の塗装を剥離してパネル側導通部３としての非塗装部分を形成するものである。このようなねじ部材４は、図８に示すように、フロアパネル１（即ちボトム板１２）の角部Ｃ近傍の下面１ｃの支柱２のパネル載置部２４ｂに配置される部分に取り付けられる。
【００６２】
支柱２に載置される導電性部材５ｃは、本実施形態においては図９，図１０等に示すような略板状のもので、支柱２の受け部２３の立設部２５が挿通される平面視略十字状をした挿通孔５４が穿孔されると共に、受け部本体２４のパネル載置部２４ｂのねじ孔６４に対応する貫通孔５５が穿孔され、受け部本体２４のパネル載置部２４ｂに当接する下面に向けて弾性脚部５６が設けられる。
【００６３】
このような導電性部材５ｃを支柱２の立設部２５を挿通孔５４に挿通して受け部本体２４のパネル載置部２４ｂに載置し、下面１ｃにねじ部材４を取り付けたフロアパネル１を支柱２の受け部２３に載置することで、図７に示すように、支柱２に当接する導電性部材５ｃとフロアパネル１のパネル側導通部３に取り付けられたねじ部材４とが当接し、支柱２とフロアパネル１とを電気的に導通させることができる。
【００６４】
以上のような構成によれば、導電性部材５ｃをねじ部材４で取り付けることなく取り付け可能となって施工が容易となるものである。
【００６５】
また、ねじ部材４をフロアパネル１の下面１ｃに取り付けてパネル側導通部３をフロアパネル１の下面１ｃに形成すると共に、支柱２の受け部２３に載置した導電性部材５ｃの上にフロアパネル１を載置してあり、弾性脚部５６だけでなく略板状をした導電性部材５ｃ本体も弾性を有して弾性変形するため、フロアパネル１に取り付けられるねじ部材４をフロアパネル１の自重で導電性部材５ｃに圧接することができる。
【００６６】
また、ねじ部材４としての掘削ねじ４ｂに塗装剥離部を設けたことで、ナット４２を用いたりねじ孔１５を形成したりすることなくねじ部材４をフロアパネル１の角部Ｃ近傍の外表面に取り付けることができ、これと同時にパネル側導通部３を形成することができる。
【００６７】
次に、本発明の更に他の実施形態について、図１１乃至図１３に基づいて説明する。本実施形態は、図１及び図２や、図３や、図４乃至図６に示す上実施形態と異なる部分についてのみ説明する。
【００６８】
本実施形態は、図１乃至図６に示す上実施形態のようにフロアパネル１の角部Ｃ近傍の側面１ｂにねじ部材４にて導電性部材５を取り付けるものではなく、フロアパネル１の角部Ｃ近傍の下面１ｃにねじ部材４にて導電性部材５ｄを取り付けるものである。
【００６９】
ねじ部材４としての掘削ねじ４ｂには、一般によく用いられるタッピングねじを用いるが、特にこれに限定されないものである。
【００７０】
また、導電性部材５ｄは、図１乃至図３に示す上実施形態のものと同様にパネル側取着片５１とこれより一体に連設される側面視略へ字状をした支柱当接片５２とで形成される上に、パネル側取着片５１のフロアパネル１との当接面にフロアパネル１の塗装を剥離する塗装剥離部（特に図示せず）が形成してある。
【００７１】
塗装剥離部は、フロアパネル１の外表面に施してある塗装を剥離する突起として形成されるもので、パネル側取着片５１の取着用切欠孔５１ａに掘削ねじ４ｂを挿通して掘削ねじ４ｂをフロアパネル１の下面１ｃ（即ちボトム板１２の下面）に掘削螺入していき、掘削ねじ４ｂによってパネル側取着片５１がフロアパネル１の外表面に圧接された際、パネル側取着片５１の塗装剥離部の突起がフロアパネル１の外表面の塗装を剥離してパネル側導通部３としての非塗装部分を形成するものである。このような導電性部材５ｄ及びねじ部材４は、図１２に示すように、フロアパネル１（即ちボトム板１２）の角部Ｃ近傍の下面１ｃの支柱２に配置される部分に取り付けられる。
【００７２】
このように下面１ｃにねじ部材４にて導電性部材５ｄを取り付けたフロアパネル１を支柱２の受け部２３に載置することで、図１１に示すように、導電性部材５ｄと支柱２とを当接させてフロアパネル１と支柱２とを電気的に導通させることができる。
【００７３】
以上のような構成によれば、ナット４２を用いたりねじ孔１５を形成したりすることなくねじ部材４をフロアパネル１の角部Ｃ近傍の外表面に取り付けることができると共に、ねじ部材４でフロアパネル１の外表面をマスキングすることなく塗装後にパネル側導通部３を形成することができる。また、フロアパネル１の下面１ｃにねじ部材４にて導電性部材５ｄを取り付けたことで、導電性部材５ｄをフロアパネル１の自重で支柱２に圧接することができる。
【００７４】
またこの時、図１３に示すように、ねじ部材４で取り付けられる導電性部材５とフロアパネル１との間に補助部材８を介在させてもよい。補助部材８は、金属等の導電性を有する材料で形成される弾性部材で、ねじ部材４によって導電性部材５とフロアパネル１との間に挟着された際に導電性部材５の支柱当接片５２に圧接するもので、導電性部材５の弾性変形の変形回復を補助するものである。
【００７５】
また、特に図示はしないが、補助部材８を用いる代わりに導電性部材５を２つ重ねて取り付けても補助部材８を取り付けたのと同様の効果が得られるものである。
【００７６】
【発明の効果】
上記のように本発明の請求項１記載の発明にあっては、外表面に非導電性の塗装が施される金属製のフロアパネルと、該フロアパネルの縁鍔部の角部を支持する金属製の支柱とに設けるフロアパネルと支柱のアース接続構造であって、支柱に、平面視正方形状の略板状をした受け部本体と、受け部本体の上面を四つの略正方形の区画に分割するように該上面に突設されて前記それぞれの区画に配置されるフロアパネルの縁鍔部の角部が載置される平面視略十字状をした立設部とからなる受け部を形成し、フロアパネルの縁鍔部の角部近傍の下面にパネル側導通部としての非塗装部分を形成し、フロアパネルの縁鍔部の角部が載置される支柱に前記パネル側導通部と電気的に導通可能な支柱側導通部を形成し、フロアパネルのパネル側導通部と支柱の支柱側導通部との間に、フロアパネルと支柱とを電気的に導通させるためにパネル側導通部に取り付ける金属製のねじ部材及び、ねじ部材と支柱側導通部とに当接して弾性を有すると共に立設部が挿通される平面視略十字状をした挿通孔が穿孔されて受け部本体の立設部を立設していない部分であるパネル載置部に載置される導電性部材とを設けたので、フロアパネルと支柱とをアース接続するのにコーナーロックねじのようなアース部材を現場で施工する必要がなくなり、現場施工で要する部品（部材や工具）点数，施工工数の低減が図られるものである。特に、フロアパネルを支柱に載置するという基本的な作業を行うだけで、簡単に電気的な導通が得られるようになるものである。また、コーナーロックねじを用いるもののように何度もコーナーロックねじを着脱することによるねじの緩みによって電気的導通が不確実になってしまったり、コーナーロックねじの締め付けトルクの変動によって電気的導通の抵抗値にばらつきが生じてしまうといったこともないものである。また、導電性部材をねじ部材で取り付けることなく、その挿通孔に支柱の立設部を挿通させて支柱の受け部本体のパネル載置部に載置するだけで取り付け可能となって施工が容易であり、また、フロアパネルの下面に取り付けたねじ部材を支柱の受け部に載置した導電性部材の上にフロアパネルの自重で圧接することができる。
【００８５】
また請求項２記載の発明にあっては、上記請求項１記載の発明の効果に加えて、ねじ部材をタッピングねじ等の掘削ねじで構成すると共に、該掘削ねじにフロアパネルの塗装を剥離する塗装剥離部を設けたので、ナットを用いたりねじ孔を形成したりすることなくねじ部材をフロアパネルの角部近傍の外表面に取り付けると共にパネル側導通部を形成することができる。
【図面の簡単な説明】
【図１】本発明の一実施形態の要部断面図である。
【図２】（ａ）は同上の実施形態における導電性部材の取り付け箇所の断面図であり、（ｂ）は導電性部材の正面図である。
【図３】本発明の他の実施形態の要部断面図である。
【図４】本発明の更に他の実施形態の要部断面図である。
【図５】同上の実施形態の要部斜視図である。
【図６】同上の実施形態における導電性部材のフロアパネルへの取り付けについての説明図である。
【図７】本発明の更に他の実施形態の要部断面図である。
【図８】同上の実施形態におけるねじ部材のフロアパネルへの取り付けについての説明図である。
【図９】同上の実施形態における導電性部材の支柱への取り付けについての説明図である。
【図１０】同上の実施形態の導電性部材の断面図である。
【図１１】本発明の更に他の実施形態の要部断面図である。
【図１２】同上の実施形態における導電性部材のフロアパネルへの取り付けについての説明図である。
【図１３】同上の実施形態における補助部材の取り付けについての説明図である。
【図１４】フロアパネル及び支柱からなるシステムフロアの説明図である。
【図１５】ねじ部材と導電性部材のフロアパネルへの取り付け箇所を説明する説明図であり、（ａ）は上方よりフロアパネルを見た斜視図であり、（ｂ）は下方よりフロアパネルを見た斜視図である。
【図１６】ねじ部材のフロアパネルへの取り付け箇所を説明する下面図である。
【図１７】従来のフロアパネルと支柱のアース接続構造を説明する斜視図である。
【図１８】同上の要部断面図である。
【図１９】同上に用いるコーナーロックねじを示し、（ａ）は側面図であり、（ｂ）は平面図である。
【符号の説明】
１  フロアパネル
２  支柱
３  パネル側導通部
４  ねじ部材
５  導電性部材
Ｃ  角部
【図１】
0003941534.tif 000002
【図２】
0003941534.tif 000003
【図３】
0003941534.tif 000004
【図４】
0003941534.tif 000005
【図５】
0003941534.tif 000006
【図６】
0003941534.tif 000007
【図７】
0003941534.tif 000008
【図８】
0003941534.tif 000009
【図９】
0003941534.tif 000010
【図１０】
0003941534.tif 000011
【図１１】
0003941534.tif 000012
【図１２】
0003941534.tif 000013
【図１３】
0003941534.tif 000014
【図１４】
0003941534.tif 000015
【図１５】
0003941534.tif 000016
【図１６】
0003941534.tif 000017
【図１７】
0003941534.tif 000018
【図１８】
0003941534.tif 000019
【図１９】
0003941534.tif 000020